【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
シート束をカバーシートで覆うシート処理装置において、
シート束の一端によって折られたカバーシートの折り部とは反対側のカバーシート端部に対して、シート束の他端の外形に沿って筋を付ける筋付け部と、
前記カバーシート端部を、前記筋付け部によって付けられた前記筋で折り返す折り返し部と、
を有し、
前記筋付け部は、カバーシートおよび前記カバーシートによって覆われたシート束を搬送することにより前記カバーシートを前記シート束の他端に対して圧接する弾性ローラ対であることを特徴とするシート処理装置。
【請求項２】
シート束を搬送する搬送部材と、
カバーシートが搬送される搬送路と、を有し、
前記搬送路内のカバーシートが、前記搬送部材によって搬送されるシート束によって前記シート束を内包するように折られることを特徴とする請求項１に記載のシート処理装置。
【請求項３】
前記シート束の一端部に対して綴じ処理を施す端部綴じ処理部、または、シート束の中央部に対して綴じ処理を施す中央綴じ処理部、を有することを特徴とする請求項１に記載のシート処理装置。
【請求項４】
シート束の中央部に対して綴じ処理を施す中央綴じ装置と、
前記中央綴じ装置によって前記中央部で綴じられたシート束を前記中央部で二つ折りする折り部と、
を有することを特徴とする請求項１に記載のシート処理装置。
【請求項５】
前記折り返し部は、前記カバーシートの筋を挟持して搬送することでカバーシートを折る折り返しローラ対を有し、
前記弾性ローラ対は、カバーシートに筋を付けると共に、折り返しローラ対のニップに前記筋を搬送するように回転することを特徴とする請求項１乃至４のいずれか１項に記載のシート処理装置。
【請求項６】
前記折り返し部は、カバーシートの筋を挟持して搬送することでカバーシートを折る折り返しローラ対を有することを特徴とする請求項１乃至４のいずれか１項に記載のシート処理装置。
【請求項７】
前記カバーシートの筋を挟むように設けられた、２対の搬送ローラ対を有し、
前記２対の搬送ローラ対が、カバーシートを撓ませて前記折り返しローラ対のニップに筋を進入させるように、いずれの搬送ローラ対も前記筋の方向へ回転することを特徴とする請求項６に記載のシート処理装置。
【請求項８】
前記２対の搬送ローラ対のうちの一方の搬送ローラ対が、前記筋をカバーシートに付ける筋付け部を構成することを特徴とする請求項７に記載のシート処理装置。
【請求項９】
カバーシートに覆われた前記シート束の一端を平坦にする背部平坦処理部を有することを特徴とする請求項１乃至８のいずれか１項に記載のシート処理装置。
【請求項１０】
前記背部平坦処理部は、
カバーシートに覆われた前記シート束の一端の位置を規定するストッパ部材と、
前記ストッパ部材によって位置が規定された一端の近傍を挟持するクランプ部材と、
前記クランプ部材によって挟持された状態で前記シート束の一端を押圧しながら前記一端に沿って移動する部材と、
を有することを特徴とする請求項９に記載のシート処理装置。
【請求項１１】
前記背部平坦処理部による前記シート束の一端の平坦処理は、前記筋付け部による筋付け処理よりも前に行われることを特徴とする請求項９又は１０に記載のシート処理装置。
【請求項１２】
前記シート束の他端を裁断する小口裁断部を有し、
前記小口裁断部による裁断処理は、前記筋付け部がカバーシートに筋を付けるよりも前に行われることを特徴とする請求項１乃至１１のいずれか１項に記載のシート処理装置。
【請求項１３】
カバーシート及びカバーシートに覆われたシート束の前記一端と垂直な２辺を同時に裁断する裁断部を有し、
前記裁断部による裁断処理が、前記折り返し部による折り返し処理よりも後に行われることを特徴とする請求項１乃至１１のいずれか１項に記載のシート処理装置。
【請求項１４】
シート束とカバーシートとを接着する接着部を有し、
前記接着部による接着処理は、前記シート束の一端と、前記シート束の一端によって折られるカバーシートの折り部とを接着する処理であり、前記シート束の一端がカバーシートに当接する前に行われることを特徴とする請求項１乃至１３のいずれか１項に記載のシート処理装置。
【請求項１５】
シート束を搬送する搬送部材と、
カバーシートが搬送される搬送路と、を有し、
前記搬送路内のカバーシートが、前記搬送部材によって搬送されるシート束によって前記シート束を内包するように折られ、
前記搬送路は、前記搬送部材のシート束搬送方向下流側において前記シート束の搬送方向に交差する方向にカバーシートを搬送し、
前記搬送部材によって搬送されるシート束に突かれることによって前記シート束を内包するようにカバーシートが折られることを特徴とする請求項１乃至１４のいずれか１項に記載のシート処理装置。
【請求項１６】
シートに画像を形成する画像形成装置本体と、前記画像形成装置本体によって画像が形成されたシートを束状にして、カバーシートで覆うシート処理装置と、を有する画像形成装置において、
前記シート処理装置が請求項１乃至１５のいずれか１項に記載のシート処理装置であることを特徴とする画像形成装置。
【手続補正２】
【補正対象書類名】明細書
【補正対象項目名】０００９
【補正方法】変更
【補正の内容】
【０００９】
上記目的を達成するための本発明の代表的な構成は、シート束をカバーシートで覆うシート処理装置において、シート束の一端によって折られたカバーシートの折り部とは反対側のカバーシート端部に対して、シート束の他端の外形に沿って筋を付ける筋付け部と、前記カバーシート端部を、前記筋付け部によって付けられた前記筋で折り返す折り返し部と、を有し、前記筋付け部は、カバーシートおよび前記カバーシートによって覆われたシート束を搬送することにより前記カバーシートを前記シート束の他端に対して圧接する弾性ローラ対であることを特徴とする。
【手続補正３】
【補正対象書類名】明細書
【補正対象項目名】００２６
【補正方法】変更
【補正の内容】
【００２６】
一方、シートＰは、カセット９１４，９１５、手差し給紙部９２５、両面搬送パス９２４の何れかから感光ドラム９１１と転写帯電器９１６とにより構成される転写部へ搬送され、この転写部において可視化された感光ドラム９１１上のトナー像がシートＰに転写される。転写後のシートＰは、定着装置９１７にて定着処理が施される。次に、このように定着処理が施されたシートＰを、排出ローラ対１０４によりフィニッシャ２に排出する。
【手続補正４】
【補正対象書類名】明細書
【補正対象項目名】００２７
【補正方法】変更
【補正の内容】
【００２７】
なお、例えばシートＰをトナー像が形成された面が下向きの状態（フェイスダウン）で複写機本体１から排出する場合は、定着装置９１７を通過したシートＰをフラッパ９２１により一旦パス９２２に導くようにする。この後、シートの後端がフラッパ９２１を抜けた後に、スイッチバックさせ、フラッパ９２１により排出ローラ対１０４へ搬送し、複写機本体１から排出する。
【手続補正５】
【補正対象書類名】明細書
【補正対象項目名】００２９
【補正方法】変更
【補正の内容】
【００２９】
また、手差し給紙部９２５から搬送するＯＨＰシート等の硬いシートＰに対して画像形成処理を行う場合は、パス９２２にシートＰを導くことなく、トナー像が形成された面を上向きの状態（フェイスアップ）で排出ローラ対１０４により複写機本体１から排出する。
【手続補正６】
【補正対象書類名】明細書
【補正対象項目名】００３０
【補正方法】変更
【補正の内容】
【００３０】
さらに、シートＰの両面に画像形成処理を行う場合は、シートＰを定着装置９１７からまっすぐ排出ローラ対１０４方向へと導く。そして、シートＰの後端がフラッパ９２１を抜けた直後にシートＰをスイッチバックし、フラッパ９２１によりパス９２２から両面搬送パス９２４へと導くようにする。
【手続補正７】
【補正対象書類名】明細書
【補正対象項目名】００４９
【補正方法】変更
【補正の内容】
【００４９】
ストッパ２１５に突き当たった後、クランプ部材２１６により、シート束Ｓを表紙カバーシートＳ１が内包する形態で、表紙カバーシートＳ１の先端側がクランプされる。その後、図３（ｂ）に示すように、ストッパ２１５をシート束Ｓおよび表紙カバーシートＳ１から退避させ、シート束Ｓおよび表紙カバーシートＳ１の背部を成型ローラ２１７が図の前奥方向に走査する。成型ローラ２１７によって、略Ｕ字に湾曲していた表紙カバーシートＳ１の背部が、表紙カバーシートＳ１が覆っているシート束Ｓの背部に沿った形に平坦に処理され、背表紙側の角付け（背部平坦処理）が施される。上記の説明から明らかなように表紙カバーシートＳ１の背部は、搬送されるシート束によって折られた表紙カバーシートの部分に対応する。
【手続補正８】
【補正対象書類名】明細書
【補正対象項目名】００５４
【補正方法】変更
【補正の内容】
【００５４】
即ち、表紙カバーシートＳ１に筋付けが施され、シート束Ｓの小口部が筋付けローラ対２１８を通過した後に、下流側の搬送ローラ対２１９をその上流側の筋付けローラ対２１８とは逆方向に回転させる。すると、図４（ａ）に示すように、表紙カバーシートＳ１が筋付け部で屈曲を始め、この筋付け部を境にしたカバーシートＳ１の各屈曲部が、回転する折り返しローラ対２２０，２２１の各ニップへと搬送される。つまり、筋付けローラ対２１８によって付けられた筋が折り返しローラ対２２０、２２１のニップに進入するように搬送ローラ対２１８、２１９が互いに逆方向に回転する。
【手続補正９】
【補正対象書類名】明細書
【補正対象項目名】００７４
【補正方法】変更
【補正の内容】
【００７４】
シート束Ｓの先端が筋付け部としての筋付けローラ対２３１およびその下流側の搬送ローラ対２３２のニップ部に到達した後は、各ローラ対２３１，２３２を、表紙カバーシートＳ１および表紙カバーシートＳ１によって覆われたシート束Ｓに押圧して回転駆動することで、表紙カバーシートＳ１および表紙カバーシートＳ１によって覆われたシート束Ｓを搬送する。シート束Ｓの小口部は、ゴムやスポンジ等の弾性部材からなる筋付けローラ対２３１のニップを通過するときに、筋付けローラ対２３１の弾性力により表紙カバーシートＳ１がシート束Ｓの小口部に押圧される。これにより、表紙カバーシートＳ１には、小口側の折り返し部となる位置に筋付けが施される。つまり、筋付けローラ対２３１によって、表紙カバーシートＳ１の小口側の部分は、シート束の小口の外形に沿って筋が付けられる。